(57)【特許請求の範囲】
【請求項１】
所定値以上の濃度の炭酸ガス、又は酸素、又は炭酸ガスと酸素の混合ガス（以下、「ガス」という）と液体を粉砕溶解させたミスト（以下、「ガスミスト」という）を封入して生体の皮膚及び粘膜に直接接触させるためのガスミスト圧浴用カバーであって、
前記生体の皮膚及び粘膜を覆う生体カバー部材と、
該生体カバー部材の周縁に設けられ、該生体カバー部材を生体の皮膚及び粘膜に貼着するための貼着部と、
前記ガスミスト圧浴用カバー内に前記ガスミストを導入するため前記生体カバー部材と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記生体カバー部材及び前記貼着部により内部にガスミスト及びガスを貯留可能なフラット形状のパッチを構成し、
前記加圧手段は、前記生体カバー部材の端部を狭窄することにより当該生体カバー内の加圧を行うことを特徴とするガスミスト圧浴用カバー。
【請求項２】
前記ガスミスト圧浴用カバーを生体に固定するための固定手段をさらに備えることを特徴とする請求項１に記載のガスミスト圧浴用カバー。
【請求項３】
前記固定手段が、ゴム、紐、面ファスナー、ワンタッチバックルのうち何れか一つ又は複数の組み合わせにより構成されることを特徴とする請求項２に記載のガスミスト圧浴用カバー。
【請求項４】
前記ガスミスト供給口が、内部に逆止弁を有することを特徴とする請求項１に記載のガスミスト圧浴用カバー。
【発明の詳細な説明】
【技術分野】
【０００１】
本発明は、炭酸ガス、又は酸素、又は炭酸ガスと酸素の混合ガス（以下、「ガス」という）と液体を粉砕溶解させたミスト（以下、「ガスミスト」という）を、所定の圧力値以上で生体の皮膚及び粘膜に直接接触させるガスミスト圧浴に用いるガスミスト圧浴用カバーに関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。【０００３】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。【０００５】
そこで、炭酸ガスや酸素を生体に直接吸収させるため、本発明者は生体の皮膚及び粘膜を覆うガスミスト圧浴用カバーを用いたガスミスト圧浴装置及びガスミスト圧浴システムをこれまでに提案している。
【発明の概要】
【発明が解決しようとする課題】
【０００６】
しかしながら、上記のガスミスト圧浴に用いる従来のガスミスト圧浴用カバーでは、カバー内の空気やガス、ガスミストを排出するためには、カバーの貼着部や固定部をその都度外す手間が必要であるという問題があった。また、ガスミスト圧浴用カバー内の圧力が高くなりすぎた際にも、同様に貼着部や固定部を外して一旦開放し、再度ガスミストを送り込まなければならず、非常に煩雑であった。【０００７】
そこで本発明は、上記状況に鑑みて、少量のガスでも効率的に生体の皮膚及び粘膜から吸収させるとともに、ガスミスト圧浴用カバー内の空気やガス、ガスミストの排出や、カバー内部の圧力調整を簡単に行うことができるガスミスト圧浴用カバーを提供することを目的とする。
【課題を解決するための手段】
【０００８】
上記課題を解決するために、本発明は、所定値以上の濃度の炭酸ガス、又は酸素、又は炭酸ガスと酸素の混合ガス（以下、「ガス」という）と液体を粉砕溶解させたミスト（以下、「ガスミスト」という）を封入して生体の皮膚及び粘膜に直接接触させるためのガスミスト圧浴用カバーであって、前記生体の皮膚及び粘膜を覆う生体カバー部材と、該生体カバー部材の周縁に設けられ、該生体カバー部材を生体の皮膚及び粘膜に貼着するための貼着部と、前記ガスミスト圧浴用カバー内に前記ガスミストを導入するため前記生体カバー部材と連通するガスミスト供給口と、前記ガスミスト圧浴用カバー内に封入された空気、前記ガスミスト又はガスを排出しその量を調整する排出口と、前記生体カバー部材内を加圧する加圧手段と、を備え、前記生体カバー部材及び前記貼着部により内部にガスミスト及びガスを貯留可能なフラット形状のパッチを構成し、前記加圧手段は、前記生体カバー部材の端部を狭窄することにより当該生体カバー内の加圧を行うことを特徴とするガスミスト圧浴用カバーことを特徴とするガスミスト圧浴用カバーを提供するものである。
【０００９】
なお、本願においては、液体を粉砕し微細な液滴にして気体（炭酸ガス、又は酸素、又は炭酸ガスと酸素の混合ガス）と接触混合させることを、粉砕溶解という。【００１０】
ここで、上記本発明のガスミスト圧浴用カバーは、前記生体カバー部材内を加圧する加圧手段をさらに備えるのが好適である。【００１１】
さらに、上記本発明のガスミスト圧浴用カバーは、前記ガスミスト圧浴用カバーを生体に固定するための固定手段をさらに備えるのが良い。この固定手段は、ゴム、紐、面ファスナー、ワンタッチバックルのうち何れか一つ又は複数の組み合わせより構成されるのが好ましい。【００１２】
また、前記ガスミスト供給口は、内部に逆止弁を有するのが好ましい。【００１３】
ところで、前記加圧手段は、前記生体カバー部材に連通する中空のガス溜部から構成され、そのガス溜部を押圧してそのガス溜部内のガスミスト及びガスを、前記ガスミスト圧浴カバー内に排出することにより加圧を行うのが好適である。そして、前記ガス溜部と前記生体カバー部材との間に、内部に逆止弁を有する接続部を設けるようにしても良い。
【発明の効果】
【００１５】
本発明によれば、大量のガスを必要とせず、さらにガスミスト圧浴用カバー内の空気等の排出や、カバー内部の圧力調整を簡単に行いながら、効率的にガスミストを生体の皮膚及び粘膜から吸収させることが可能となる。
【図面の簡単な説明】
【００１６】
【図１】本発明の第１の実施形態に係るガスミスト圧浴用カバーを適用するガスミスト圧浴用システムの一例を示す模式図である。
【図２】本発明の第１の実施形態に係るガスミスト圧浴用カバーの全体概略図である。
【図３】本発明の第１の実施形態に係るガスミスト圧浴用カバーの装着状態を示す模式図である。
【図４】本発明の第１の実施形態に係るガスミスト圧浴用カバーにおけるカバー本体の縦断面模式図である。
【図５】本発明に係るガスミスト圧浴用カバーにおける貼着部の形状の一例を示す模式図である。
【図６】本発明に係るガスミスト圧浴用カバーにおける固定手段の構成の一例を示す模式図である。
【図７】本発明の第２の実施形態に係るガスミスト圧浴用カバーを適用するガスミスト圧浴用システムの一例を示す模式図である。
【図８】本発明の第２の実施形態に係るガスミスト圧浴用カバーの全体概略図である。
【図９】本発明の第２の実施形態に係るガスミスト圧浴用カバーの装着状態を示す模式図である。
【図１０】本発明の第２の実施形態に係るガスミスト圧浴用カバーにおけるカバー本体の縦断面模式図である。
【図１１】本発明の第２の実施形態に係るガスミスト圧浴用カバーの他の加圧部の例を示す模式図（その１）である。
【図１２】本発明の第２の実施形態に係るガスミスト圧浴用カバーの他の加圧部の例を示す模式図（その２）である。
【発明を実施するための形態】
【００１７】
以下、本発明の実施の形態について、図面を参照しながら詳細に説明する。
【００１８】
〔第１の実施形態〕
まず、本発明のガスミスト圧浴用カバーを適用するガスミスト圧浴用システムの概略について説明する。図１は、ガスミスト圧浴用システムの一例を示す模式図である。この図に示すように、ガスミスト圧浴システムは、ガス供給手段１１と、液体供給手段２１と、液体とガス（炭酸ガス、又は酸素、又は炭酸ガスと酸素の混合ガス）を粉砕溶解したガスミストを発生させて供給するガスミスト供給手段３１と、供給されたガスミストを内部に封入する空間を形成するパッチ状のガスミスト圧浴用カバー１００と、ガスミストの生成及び供給制御を行う制御装置５１と、から構成される。
【００１９】
ガス供給手段１１は、ガスミスト供給手段３１にガスを供給する。ただし、ガスミスト圧浴用カバー１００にミストが十分に供給されている場合は、ガス供給手段１１から直接ガスのみをガスミスト圧浴用カバー１００に供給する。このガス供給手段１１としてはガスボンベを用いるのが最適である。ガス供給手段１１には、ガスの圧力調整のためのレギュレータ１２が設けられている。なお、図示は省略するが、ガス供給手段１１には、ガスを加温するためのヒータや、温度制御のための温度計を配置しても良い。
【００２０】
液体供給手段２１は、ポンプ等から構成され、ガスミスト供給手段３１に液体を供給する。この液体としては、水、イオン水、生理食塩水、オゾン水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、抗ガン剤、血圧降下剤、化粧剤、増毛剤、発毛剤、育毛剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウムを添加しても良い。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００２１】
また、図１に示すように、複数の液体供給手段２１Ａ、２１Ｂを配置し、それぞれ異なる液体を供給するようにしても良い。この液体供給手段２１には、供給圧調整のための圧力計２２（２２Ａ、２２Ｂ）をそれぞれ設ける。また、液体を加温する（例えば水を４０℃程度の湯にする）ためのヒータ（図示せず）や、温度制御のための温度計（図示せず）をそれぞれ設けるのが望ましい。
【００２２】
ガスミスト供給手段３１は、液体供給手段２１から供給された液体とガス供給手段１１から供給されたガスとを粉砕溶解したガスミストの状態でガスミスト圧浴用カバー１００に加圧供給する装置である。ガスは、液体と粉砕溶解されたガスミストの状態で供給されることで、皮膚及び粘膜からの吸収が促進される。この際、ミストの粒径は１０μｍ以下であるのが最適である。ここでは、流体ノズル３２によりガス供給手段１１から供給されたガスの高速流を利用してガスミストを生成し、ガスミスト圧浴用カバー１００に供給する例を示している。このほか、液体中にガスを高圧で噴射することによりガスミストを生成する装置や超音波を利用してガスミストを生成する装置等、様々な方式のガスミスト供給装置を用いることができる。
【００２３】
制御装置５１は、ＣＰＵ、メモリ、ディスプレイを備えたコンピュータから構成される。そして、ガス供給手段１１から供給されるガスの圧力調整やオン・オフ切替、ガスミスト供給手段３１／ガスミスト圧浴用カバー１００へのガスの供給切替、液体供給手段２１からの液体の供給圧調整や温度調整、供給のオン・オフ切替、ガスミスト供給手段３１からのガスミストの供給のオン・オフ切替等々の各種制御を行い、最適な状態でガスミスト圧浴が行えるようにする。特に、ガスミスト圧浴用カバー１００内の圧力値が所定値以上になった場合、制御装置５１によりガス供給手段１１のガスの供給を停止するように構成するのが好適である。
【００２４】
ガスミスト圧浴用カバー１００は、生体（ここでは例として人体の下肢）の皮膚及び粘膜を覆い、ガスミスト及びガスを内部に封入する空間を形成できるパッチ状のカバーである。図２は、本発明の第１の実施形態に係るガスミスト圧浴用カバーの全体概略図、図３は、そのガスミスト圧浴用カバーの装着状態を示す模式図である。また図４は、そのガスミスト圧浴用カバーにおけるカバー本体の縦断面模式図である。
【００２５】
ガスミスト圧浴用カバー１００は、これらの図に示すように、圧浴用カバー本体１０１と、この圧浴用カバー本体１０１を生体に固定するための固定部１０６から構成されている。圧浴用カバー本体１０１は、生体の皮膚及び粘膜（ここでは例として、人体の下肢）を覆うフラット形状のパッチを構成する生体カバー部材１０２と、その生体カバー部材１０２の周縁に設けられる生体の皮膚及び粘膜への貼着部１０３と、生体カバー部材１０２に設けられ、この生体カバー部材１０２内にガスミスト及びガスを供給可能にする供給口１０４と、生体カバー部材１０２の内部の空気やガスミスト、ガスの量を調整したり排出したりするための排出口１０５とから構成される。また、固定部１０６は、止着ベルト１０７と、ベルト止め具１０８とから構成される。
【００２６】
生体カバー部材１０２は、生体の皮膚及び粘膜を覆い、図４に示すように圧浴用カバー本体１０１と皮膚及び粘膜との間にガスミスト及びガスを溜める空間１０９を形成可能にする。生体カバー部材１０２は、耐圧性、非通気性、非透湿性素材の織布又は不織布等から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００２７】
生体カバー部材１０２の周縁には、圧浴用カバー本体１０１内のガスミスト及びガスの漏出を防ぐために、貼着部１０３が設けられている。貼着部１０３の生体の皮膚及び粘膜に接触する側には、生体の皮膚及び粘膜に粘着する素材が配置されている。この粘着素材は、例えばポリウレタンやシリコンゴム等からなる粘弾性ゲルであるのが好ましい。また、この粘着素材は取り外し可能なものを用いて、使用の都度あるいは粘性が弱くなれば交換できる構成が最適である。
【００２８】
ガスミスト供給口１０４は、圧浴用カバー本体１０１内部にガスミスト及びガスを導入するために、圧浴用カバー本体１０１内の空間１０９に連通して設けられている。このガスミスト供給口１０４にガスミスト供給手段３１やガス供給手段１１等のガスミスト及びガスの供給手段を接続して、圧浴用カバー本体１０１内にガスミスト及びガスを供給する。ガスミスト及びガスの逆流を防止するため、このガスミスト供給口１０４内部には逆止弁が配置されている。
【００２９】
排出口１０５は、圧浴用カバー本体１０１内の空気を抜く際や、圧浴用カバー本体１０１内のガスミストやガスを抜いて圧力を調整する際に、それら空気やガスミスト及びガスを排出するための通気口である。排出口１０５は、通常時は弁やキャップ等で通気を防止しており、上記排出を行う際にのみ開弁させたりキャップを外したりすることにより通気が可能になる構造を有している。これらの圧力調整は手動で行われても良いが、後述する圧力計６１の計測値に基づき、ガスやガスミストの供給制御とともに制御装置５１により自動的に行われるのが望ましい。あるいは、圧浴用カバー本体１０１内が一定圧力以上になると自動的に弁が開く安全弁（逃し弁）を排出口１０５としても良い。
【００３０】
固定部１０６は、ここでは例として止着ベルト１０７とベルト止め具１０８から構成している。止着ベルト１０７は、様々な使用者の体型や使用個所に対応するために、ゴム等の伸縮性を有する素材から構成するのが好ましい。図では四本の止着ベルト１０７を配置し、上下二か所で固定する例を示しているが、圧浴用カバー本体１０１の形状や圧浴用カバー本体１０１を使用する生体の箇所等に合わせて配置する数や位置を変更しても良い。ベルト止め具１０８は、止着ベルト１０７の着脱が容易なワンタッチバックル等が望ましい。また、止着ベルト１０７のベルト長さを容易に調節できるアジャスター等をさらに備えるようにしても良い。
【００３１】
圧浴用カバー本体１０１内には、その内部の圧力を計測するための圧力計６１が設置される。制御装置５１は、圧浴用カバー本体１０１内の圧力値を１気圧以上（より好適には１．０２乃至２．５気圧程度）に保つため、この圧力計６１の計測値に基づき、ガスミスト及びガスの供給を制御する。また、圧浴用カバー本体１０１の内部には圧浴用カバー本体１０１内の温度を計測するための温度計６２が設置される。制御装置５１は、圧浴用カバー本体１０１内を温浴効果が得られる設定温度（例えば３８℃程度）に保つため、温度計６２の計測値に基づき液体供給手段２１に設けられたヒータのオン・オフ等を行う。
【００３２】
そこで、上記のガスミスト圧浴システムと本発明のガスミスト圧浴用カバー１００を用いたガスミスト圧浴の方法を説明する。まず、貼着部１０３により圧浴用カバー本体１０１をガスミスト圧浴を行いたい生体の部位（ここでは人体の下肢）に貼り付けて、圧浴用カバー本体１０１内部を略密閉状態とする。次いで、止着ベルト１０７をベルト止め具１０８で止着して、圧浴用カバー本体１０１を生体に固定する。また、排出口１０５から内部の空気をできるだけ排出しておく。それからガス供給手段１１からガスを、液体供給手段２１から液体を、ガスミスト供給手段３１へ供給する。その際制御装置５１は、液体及びガスの供給圧や量、温度等の調整を行う。これによりガスミスト供給手段３１はガスミストを生成し、生成されたガスミストは供給口１０４から圧浴用カバー本体１０１内へ供給する。圧浴用カバー本体１０１内にミストが十分に充填された場合は、ガス供給手段１１から直接ガスのみを圧浴用カバー本体１０１内に供給する。このとき、圧浴用カバー本体１０１内にはガスが約９５−９７％、液体が約３−５％の割合で存在するようにするのが好適である。ミスト中には約４０ｐｐｍの濃度でガスが溶解し、そのミストサイズが約２３２ｐｍ程度となるのが好ましい。制御装置５１は圧力計６１、温度計６２の計測値から、圧浴用カバー本体１０１内が最適な加圧、加温状態（約１．０２乃至２．５気圧、約３８℃）となるよう制御する。圧力が高すぎた場合や内部のガスミスト及びガスを入れ替えたい場合は、排出口１０５から簡便に排気しその調整が可能である。このようにして最適なガスミスト圧浴を行う。
【００３３】
なお、上記実施形態では、圧浴用カバー本体１０１を矩形に図示したが、貼着する生体の箇所に合わせて様々な形状を採用することができる。また、貼着部１０３の形状も様々なものが考えられる。図５に貼着部１０３の形状の一例を示す。図５（ａ）に示すように、生体カバー部材１０２Ａと貼着部１０３Ａの周縁部の形状を略相似にしても良いし、図５（ｂ）、図５（ｃ）に示すように生体カバー部材１０２Ｂ、１０２Ｃと貼着部１０３Ｂ、１０３Ｃの周縁部を全く別の形状としても良い。さらに、図５（ｄ）に示すように、生体カバー部材１０２Ｄを囲んで複数（ここでは例として二つ）の貼着部１０３Ｄ−１、１０３Ｄ−２を設けるようにしても良い。
【００３４】
また、上記実施形態では、圧浴用カバー本体１０１の固定部１０６を止着ベルト１０７とベルト止め具１０８から構成したが、このほかにも様々な態様を採用することができる。図６に固定部１０６の構成の一例を示す。図６（ａ）は、紐１０７Ａを設け、これを適切な位置で結んで圧浴用カバー本体１０１を固定する例である。図６（ｂ）は、ゴムベルト１０７Ｂと面ファスナー１０８Ｂを設け、面ファスナー１０８Ｂを適切な位置で貼り合わせて圧浴用カバー本体１０１を固定する例である。図６（ｃ）は、圧浴用カバー本体１０１と固定部１０６Ｃを一体としない例である。ここでは、伸縮性を有するとともに、少なくともガスミスト供給口１０４と排出口１０５とを露出する開口１０８Ｃが設けられたサポーター１０７Ｃを圧浴用カバー本体１０１に被せて固定している。
【００３５】
なお、上記では、ガスミスト圧浴用カバー１００を人体に適用する例を示したが、本発明のガスミスト圧浴用カバー１００は、人体に限らず動物等に用いても良い。
【００３６】
〔第２の実施形態〕
図７は、本発明の第２の実施形態に係るガスミスト圧浴用カバーを適用するガスミスト圧浴用システムの一例を示す模式図である。本実施形態では、圧浴用カバー本体内を容易に加圧する加圧手段をさらに備えたガスミスト圧浴用カバーについて説明する。なお、図１に示す第１の実施形態と同一の部分については、同一の符号を付して詳細な説明は省略する。
【００３７】
図７に示すように、本実施形態のガスミスト圧浴用カバー２００は、生体の皮膚及び粘膜を覆い、ガスミスト及びガスを内部に封入する空間を形成する圧浴用カバー本体２０１のほかに、この圧浴用カバー本体２０１内を加圧する加圧部２１０を備えている。
【００３８】
以下、ガスミスト圧浴用カバー２００について図８乃至図１０に基づきより具体的に説明する。図８は、本発明の第２の実施形態に係るガスミスト圧浴用カバーの全体概略図、図９は、そのガスミスト圧浴用カバーの装着状態を示す模式図である。また図１０は、そのガスミスト圧浴用カバーにおけるカバー本体の縦断面模式図である。
【００３９】
これらの図に示すように、ガスミスト圧浴用カバー２００は、圧浴用カバー本体２０１と、この圧浴用カバー本体２０１を生体に固定するための固定部２０６と、圧浴用カバー本体２０１内を加圧するための加圧部２１０とから構成されている。圧浴用カバー本体２０１は、生体の皮膚及び粘膜（ここでは例として、人体の下肢）を覆うフラット形状のパッチを構成する生体カバー部材２０２と、その生体カバー部材２０２の周縁に設けられる生体の皮膚及び粘膜への貼着部２０３と、内部に逆止弁２０４ａを備え、加圧部２１０を介して圧浴用カバー本体２０１にガスミスト及びガスを供給可能にする供給口２０４と、圧浴用カバー本体２０１の内部の空気やガスミスト、ガスの量を調整したり排出したりするための排出口２０５と、から構成される。また、固定部２０６は、止着ベルト２０７と、ベルト止め具２０８とから構成される。さらに、加圧部２１０は、生体カバー部材２０２内と連通する中空のガス溜２１１と、内部に逆止弁２１２ａを備えガス溜２１１と生体カバー部材２０２とを接続する接続部２１２とから構成される。
【００４０】
生体カバー部材２０２は、生体の皮膚及び粘膜を覆い、図１０に示すように圧浴用カバー本体２０１と皮膚及び粘膜との間にガスミスト及びガスを溜める空間２２１を形成可能にする。生体カバー部材２０２は、耐圧性、非通気性、非透湿性素材の織布又は不織布等から構成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００４１】
生体カバー部材２０２の周縁には、圧浴用カバー本体２０１内のガスミスト及びガスの漏出を防ぐために、貼着部２０３が設けられている。貼着部２０３の生体の皮膚及び粘膜に接触する側には、生体の皮膚及び粘膜に粘着する素材が配置されている。この粘着素材は、例えばポリウレタンやシリコンゴム等からなる粘弾性ゲルであるのが好ましい。また、この粘着素材は取り外し可能なものを用いて、使用の都度あるいは粘性が弱くなれば交換できる構成が最適である。
【００４２】
ガスミスト供給口２０４は、加圧部２１０を介して圧浴用カバー本体２０１内部にガスミスト及びガスを導入するため、加圧部２１０と連通して設けられている。このガスミスト供給口２０４にガスミスト供給手段３１やガス供給手段１１等のガスミスト及びガスの供給手段を接続して、圧浴用カバー本体２０１内にガスミスト及びガスを供給する。ガスミスト及びガスの逆流を防止するため、このガスミスト供給口２０４内部には逆止弁２０４ａが配置されている。なお、図７乃至図１０に示すガスミスト圧浴用カバー２００では、ガスミスト供給手段３１とガス供給手段１１からのガスミスト及びガスは、まず供給口２０４から加圧部２１０に供給され、接続部２１２を介して生体カバー部材２０２内に供給される。
【００４３】
排出口２０５は、圧浴用カバー本体２０１内の空気を抜く際や、圧浴用カバー本体２０１内のガスミストやガスを抜いて圧力を調整する際に、それら空気やガスミスト及びガスを排出するための通気口である。排出口２０５は、通常時は弁やキャップ等で通気を防止しており、上記排出を行う際にのみ開弁させたりキャップを外したりすることにより通気が可能になる構造を有している。これらの圧力調整は手動で行われても良いが、圧力計６１の計測値に基づき、ガスやガスミストの供給制御とともに制御装置５１により自動的に行われるのが望ましい。あるいは、圧浴用カバー本体２０１内が一定圧力以上になると自動的に弁が開く安全弁（逃し弁）を排出口２０５としても良い。
【００４４】
加圧部２１０は、生体カバー部材２０２内を加圧する手段であり、ここでは生体カバー部材２０２と連通する中空のガス溜２１１と、このガス溜２１１と生体カバー部材２０２とを接続する接続部２１２から構成されている。生体カバー部材２０２内にガスミスト及びガスを導入すると共にガス溜２１１にもガスミスト又はガスを溜め、図９の矢印に示す通りガス溜２１１を押し潰すように加圧すると、接続部２１２を介してガス溜２１１内のガスミスト又はガスが生体カバー部材２０２へ排出される。これにより生体カバー部材２０２内が加圧される。
【００４５】
なお、加圧部２１０は、手動で押圧する構成としても良いし、駆動装置等を用いて制御装置５１の制御で機械的に行っても良い。ガスミスト圧浴における加圧は、所定のインターバルでパルス状に行うことにより効果が高まるため、加圧部２１０を一定のリズムで間歇的に押圧させても良い。その際の加圧の間隔は、脈の拍動にほぼ同期させると効果が高くなる。
【００４６】
固定部２０６は、ここでは例として止着ベルト２０７とベルト止め具２０８から構成している。止着ベルト２０７は、様々な使用者の体型や使用個所に対応するために、ゴム等の伸縮性を有する素材から構成するのが好ましい。図では四本の止着ベルト２０７を配置し、上下二か所で固定する例を示しているが、圧浴用カバー本体２０１の形状や圧浴用カバー本体２０１を使用する生体の箇所等に合わせて配置する数や位置を変更しても良い。ベルト止め具２０８は、止着ベルト２０７の着脱が容易なワンタッチバックル等が望ましい。また、止着ベルト２０７のベルト長さを容易に調節できるアジャスター等をさらに備えるようにしても良い。
【００４７】
圧浴用カバー本体２０１内には、その内部の圧力を計測するための圧力計６１が設置される。制御装置５１は、圧浴用カバー本体２０１内の圧力値を１気圧以上（より好適には１．０２乃至２．５気圧程度）に保つため、この圧力計６１の計測値に基づき、ガスミスト及びガスの供給を制御する。また、圧浴用カバー本体２０１の内部には圧浴用カバー本体２０１内の温度を計測するための温度計６２が設置される。制御装置５１は、圧浴用カバー本体２０１内を温浴効果が得られる設定温度（例えば３８℃程度）に保つため、温度計６２の計測値に基づき液体供給手段２１に設けられたヒータのオン・オフ等を行う。
【００４８】
そこで、上記のガスミスト圧浴システムと本発明のガスミスト圧浴用カバー２００を用いたガスミスト圧浴の方法を説明する。まず、貼着部２０３により圧浴用カバー本体２０１をガスミスト圧浴を行いたい生体の部位（ここでは人体の下肢）に貼り付けて、圧浴用カバー本体２０１内部を略密閉状態とする。次いで、止着ベルト２０７をベルト止め具２０８で止着して、圧浴用カバー本体２０１を生体に固定する。また、排出口２０５から内部の空気をできるだけ排出しておく。それからガス供給手段１１からガスを、液体供給手段２１から液体を、ガスミスト供給手段３１へ供給する。その際制御装置５１は、液体及びガスの供給圧や量、温度等の調整を行う。これによりガスミスト供給手段３１はガスミストを生成し、生成されたガスミストは供給口２０４からガス溜２１１、接続部２１２を介して生体カバー部材２０２内へ供給される。圧浴用カバー本体２０１内にミストが十分に充填された場合は、ガス供給手段１１から直接ガスのみを圧浴用カバー本体２０１内に供給する。このとき、圧浴用カバー本体２０１内にはガスが約９５−９７％、液体が約３−５％の割合で存在するようにするのが好適である。ミスト中には約４０ｐｐｍの濃度でガスが溶解し、そのミストサイズが約２３２ｐｍ程度となるのが好ましい。制御装置５１は、温度計６２の計測値から、圧浴用カバー本体２０１内が最適な加温状態（約３８℃）となるよう制御する。そして、圧浴用カバー本体２０１とガス溜２１１に最適な量のガスミスト又はガスが溜まったところで制御装置５１はガスミスト又はガスの供給を一旦停止する。次いで、ガス溜２１１を押し潰すように押圧する。これにより、ガス溜２１１内のガスミスト又はガスを圧浴用カバー本体２０１内に排出し、圧浴用カバー本体２０１内を適度（約１．０２乃至２．５気圧）に加圧する。圧力が高くなりすぎた場合や内部のガスミスト及びガスを入れ替えたい場合は、排出口２０５から簡便に排気しその調整が可能である。このようにして最適なガスミスト圧浴を行う。
【００４９】
なお、上記実施形態では加圧部を、接続部を介して生体カバー部材に連通して設けられる中空のガス溜から構成したが、このほか生体カバー部材内を簡便に加圧できるものであればどのようなものを用いても良い。以下、他の加圧部の構成について説明する。
【００５０】
図１１は、本発明の第２の実施形態に係るガスミスト圧浴用カバーの他の加圧部の例を示す模式図（その１）である。ここでは、加圧部３１０が生体カバー部材３０２を狭窄させる狭窄リング３１１から構成されるガスミスト圧浴用カバー３００について説明する。なお、以下では、生体カバー部材３０２、供給口３０４、加圧部３１０の構成が異なる以外は、図９と同様の構成を有するため、これ以外の各部の詳細な説明は省略する。
【００５１】
このガスミスト圧浴用カバー３００は、圧浴用カバー本体３０１と、この圧浴用カバー本体３０１を生体に固定するための固定部３０６と、圧浴用カバー本体３０１内を加圧するための加圧部３１０とから構成されている。
【００５２】
圧浴用カバー本体３０１は、生体の皮膚及び粘膜（ここでは例として、人体の下肢）を覆うフラット形状のパッチを構成する生体カバー部材３０２と、その生体カバー部材３０２の周縁に設けられる生体の皮膚及び粘膜への貼着部３０３と、内部に逆止弁３０４ａを備え、圧浴用カバー本体３０１にガスミスト及びガスを供給可能にする供給口３０４と、圧浴用カバー本体３０１の内部の空気やガスミスト、ガスの量を調整したり排出したりするための排出口３０５と、から構成される。また、固定部３０６は、止着ベルト３０７と、ベルト止め具３０８とから構成される。
【００５３】
加圧部３１０は、ゴム等の弾性部材から構成された、細孔を有する狭窄リング３１１よりなる。その狭窄リング３１１の細孔に生体カバー部材３０２の先端部（中央部）３０２ａを通し、図１１の矢印方向にスライドさせると、先端部（中央部）３０２ａ近傍は狭窄リング３１１の細孔によって狭窄され、圧浴用カバー本体３０１のガスミスト及びガスの溜まるスペースが狭まるため、圧浴用カバー本体３０１内は加圧される。
【００５４】
ここで、加圧部３１０として上記の狭窄リング３１１に代えてクリップ等を用いることもできる。つまり、生体カバー部材３０２の先端部（中央部）３０２ａから狭窄することによってガスミスト及びガスの溜まるスペースを狭め、圧浴用カバー本体３０１内の加圧を行うことができるものであれば、何を用いても良い。
【００５５】
加圧部３１０（狭窄リング３１１）は手動でスライド、固定させる構成であっても良いし、制御装置５１の制御により駆動装置等でこれらの動作を機械的に行うものであっても良い。また、加圧部３１０（狭窄リング３１１）のスライド動作による加圧は、所定のインターバルでパルス状に行うようにしても良い。さらに、ここでは適用する生体の部位として人体の下肢を例に図示したが、このほか様々な部位に適用できることは言うまでもない。
【００５６】
次に、加圧部４１０が略球状の中空のガス溜４１１からなるガスミスト圧浴用カバー４００について説明する。図１２は、本発明の第２の実施形態に係るガスミスト圧浴用カバーの他の加圧部の例を示す模式図（その２）である。なお、以下では、生体カバー部材４０２、供給口４０４、加圧部４１０の構成が異なる以外は、図９と同様の構成を有するため、これ以外の各部の詳細な説明は省略する。
【００５７】
このガスミスト圧浴用カバー４００は、圧浴用カバー本体４０１と、この圧浴用カバー本体４０１を生体に固定するための固定部４０６と、圧浴用カバー本体４０１内を加圧するための加圧部４１０とから構成されている。
【００５８】
圧浴用カバー本体４０１は、生体の皮膚及び粘膜（ここでは例として、人体の下肢）を覆うフラット形状のパッチを構成する生体カバー部材４０２と、その生体カバー部材４０２の周縁に設けられる生体の皮膚及び粘膜への貼着部４０３と、内部に逆止弁を備え、圧浴用カバー本体４０１にガスミスト及びガスを供給可能にする供給口４０４と、圧浴用カバー本体４０１の内部の空気やガスミスト、ガスの量を調整したり排出したりするための排出口４０５と、から構成される。また、固定部４０６は、止着ベルト４０７と、ベルト止め具４０８とから構成される。
【００５９】
加圧部４１０は、生体カバー部材４０２と連通して設けられた略球状のガス溜４１１からなる。図１２に示すように、生体カバー部材４０２とは縊れ部４１１ａにより形状的に区切られている。そして、このガス溜４１１を押し潰すように押圧することによりガスミスト又はガスを圧浴用カバー本体４０１に排出し、圧浴用カバー本体４０１内を適度に加圧することができる。
【００６０】
なお、ガス溜４１１にはガス溜４１１全体を覆う専用のカバーを設けるようにしても良い。また、ガス溜４１１の押圧は手動であっても制御装置５１により駆動装置等で機械的に行うものであっても良い。また、加圧部４１０による加圧は、所定のインターバルでパルス状に行うようにしても良い。さらに、ここでは適用する生体の部位として人体の下肢を例に図示したが、このほか様々な部位に適用できることは言うまでもない。
【００６１】
なお、上記した各実施形態では、ガスミスト圧浴用カバーを人体に適用する例を示したが、本発明のガスミスト圧浴用カバーは、人体に限らず動物等に用いても良い。
【００６２】
上記のように構成したため、本発明によれば、大量のガスを必要とせず、さらにガスミスト圧浴用カバー内の空気等の排出や、カバー内部の圧力調整を簡単に行いながら、効率的にガスミストを生体の皮膚及び粘膜から吸収させることが可能となる。
【００６３】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００６４】
本発明は、炭酸ガス、又は酸素、又は炭酸ガスと酸素の混合ガスと液体を粉砕溶解させたガスミストを、所定の圧力値以上で生体の皮膚及び粘膜に直接接触させるガスミスト圧浴に用いるガスミスト圧浴用カバーに関し、産業上の利用可能性を有する。
【符号の説明】
【００６５】
１１    ガス供給手段
１２    レギュレータ
２１、２１Ａ、２１Ｂ    液体供給手段
２２、２２Ａ、２２Ｂ    圧力計
３１    ガスミスト供給手段
３２    流体ノズル
５１    制御装置
６１    圧力計
６２    温度計
１００、２００、３００、４００    ガスミスト圧浴用カバー
１０１、２０１、３０１、４０１    圧浴用カバー本体
１０２、１０２Ａ、１０２Ｂ、１０２Ｃ、１０２Ｄ、２０２、３０２、４０２    生体カバー部材
１０３、１０３Ａ、１０３Ｂ、１０３Ｃ、１０３Ｄ−１、１０３Ｄ−２、２０３、３０３、４０３    貼着部
１０４、２０４、３０４、４０４    供給口
１０５、２０５、３０５、４０５    排出口
１０６、１０６Ａ、１０６Ｂ、１０６Ｃ、２０６、３０６、４０６    固定部
１０７、２０７、３０７、４０７    止着ベルト
１０７Ａ    紐
１０７Ｂ    ゴムベルト
１０７Ｃ    サポーター
１０８、２０８、３０８、４０８    ベルト止め具
１０８Ｂ    面ファスナー
１０８Ｃ    開口
１０９、２２１    空間
２０４ａ、２１２ａ    逆止弁
２１０、３１０、４１０    加圧部
２１１、４１１    ガス溜
２１２    接続部
３０２ａ    先端部（中央部）
３１１    狭窄リング
４１１ａ    縊れ部
【図１】
0005395095.tif 000002
【図２】
0005395095.tif 000003
【図３】
0005395095.tif 000004
【図４】
0005395095.tif 000005
【図５】
0005395095.tif 000006
【図６】
0005395095.tif 000007
【図７】
0005395095.tif 000008
【図８】
0005395095.tif 000009
【図９】
0005395095.tif 000010
【図１０】
0005395095.tif 000011
【図１１】
0005395095.tif 000012
【図１２】
0005395095.tif 000013